【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
低温バルブであって、
第１のポート及び第２のポートと、
前記第１のポートと流体連通する流体オリフィスを規定するバルブシートを含むバルブボディと、
前記バルブボディに係合されるように構成されるバルブステムであって、前記バルブステムは、第１の端部と、反対の第２の端部と、を含み、前記第１の端部及び第２の端部を通じて延びる長手軸を有し、前記バルブステムは、前記長手軸に実質的に沿って延びる第１のチャネルを形成し、前記第１のチャネルは、前記バルブステムを通じて流体を流すことを可能にするように構成され、前記バルブステムは、第１の係合周辺に沿って前記バルブボディに係合するように構成される、バルブステムと、
前記第１の係合周辺を密閉シールするように構成される第１の溶接部と、
シール部材と、
前記第１のチャネルの少なくとも一部内に配置されるバルブエレメントであって、前記バルブエレメントは、前記オリフィスに対して前記シール部材をバイアスし、前記オリフィス及び前記第１のポートを通じて実質的に流れを遮断するように構成され、前記バイアスは、バルブアクチュエータにより前記バルブエレメントの位置の制御に応じて制御される、バルブエレメントと、
第２の係合周辺に沿って前記バルブボディ及び前記バルブステムの少なくとも係合部分を実質的にシールし、かつ取り囲むように構成されるハウジングであって、前記ハウジングは、前記バルブステムを実質的に取り囲むように構成される内部ハウジングキャビティを形成するように構成され、前記内部ハウジングキャビティは、前記ハウジングからの、前記係合部分を含む、前記バルブボディ及び前記バルブステムの少なくとも一部を熱的に隔てるように構成される、ハウジングと、
前記第２の係合周辺を密閉シールするように構成される第２の溶接部と、
第３の係合周辺に沿う前記ハウジングを係合し、かつ前記ハウジングを通じて電気的な接続を可能にするように構成される電気コネクタと、
前記第３の係合周辺に沿う第３の溶接部と、
を備える低温バルブ。
【請求項２】
前記バルブエレメントは、前記長手軸に沿う前記第１のチャネル内の前記オリフィスに対して移動するように構成される請求項１に記載の低温バルブ。
【請求項３】
前記バルブエレメントは、前記バルブエレメントが前記第１のチャネル内に配置されるときに、前記長手軸にほぼ沿う前記バルブステムを通じて流体を流すことを可能にするように構成される第２のチャネルを含む請求項１に記載の低温バルブ。
【請求項４】
前記第１のチャネル及び前記第２のチャネルは、前記長手軸に沿って互いに実質的に位置合わせされる請求項３に記載の低温バルブ。
【請求項５】
前記第１のチャネル、前記第２のチャネル並びに前記第１のポート及び前記第２のポートの少なくとも一方は、前記長手軸に沿って互いに対して実質的に位置合わせされる請求項４に記載の低温バルブ。
【請求項６】
前記第１のチャネル、前記第２のチャネル、前記第１のポート、前記第２のポート及び前記オリフィスは、前記長手軸に沿って互いに対して実質的に位置合わせされる請求項５に記載の低温バルブ。
【請求項７】
前記バルブエレメント及び前記バルブステムの少なくとも一方は、前記第１及び第２のチャネルの少なくとも一方と流体連通され、かつ前記第１及び第２のチャネルの少なくとも一方から径方向外側に延びる第３のチャネルを含む請求項３に記載の低温バルブ。
【請求項８】
前記バルブエレメント及び前記バルブステムの他方は、前記第１及び第２のチャネルの他方と流体連通され、かつ前記第１及び第２のチャネルの他方から径方向外側に延びる第４のチャネルを含む請求項７に記載の低温バルブ。
【請求項９】
前記第３のチャネルは、前記長手軸にほぼ直交する請求項７に記載の低温バルブ。
【請求項１０】
前記第２のチャネルは、前記長手軸にほぼ平行であり、かつ径方向にオフセットされる軸に沿って延びる請求項３に記載の低温バルブ。
【請求項１１】
前記第１のチャネル及び前記第２のポートは、ほぼ真っすぐな、遮られない流路が前記第２のポート及び前記第１のチャネルを通じて延びるように、前記長手軸に沿って互いに対して実質的に位置合わせされる請求項１に記載の低温バルブ。
【請求項１２】
前記第１のチャネル及び前記第２のチャネルは、ほぼ真っすぐな、遮られない流路が、少なくとも前記第１のチャネルの一部及び前記第２のチャネルの一部を通じて延びるように、前記長手軸に沿って互いに対して実質的に位置合わせされる請求項３に記載の低温バルブ。
【請求項１３】
前記第１のチャネル、前記第２のチャネル及び前記第２のポートは、ほぼ真っすぐな、遮られない流路が、前記第２のポート、前記第１のチャネル及び前記第２のチャネルの少なくとも近位部を通じて延びるように、前記長手軸に沿って互いに対して実質的に位置合わせされる請求項１２に記載の低温バルブ。
【請求項１４】
前記第１のチャネルは、前記バルブステムの前記第１及び第２の端部を通じて長軸方向に延びる請求項１に記載の低温バルブ。
【請求項１５】
バルブアクチュエータを更に備え、前記バルブアクチュエータは、ソレノイドコイルが作動又は非作動の少なくとも一方のときに、前記バルブエレメントを移動するように構成される前記ソレノイドコイルを備える請求項１に記載の低温バルブ。
【請求項１６】
バネを更に備え、前記ソレノイドコイルは、前記ソレノイドコイルが作動されるときに、前記オリフィスに対して前記シール部材にバイアスするために前記バルブエレメントを移動するように構成され、前記バネは、前記ソレノイドコイルが非作動のときに、前記オリフィスに対して、バイアスされていた前記シール部材を移動する、請求項１５に記載の低温バルブ。
【請求項１７】
前記第１のポート、前記第２のポート、前記バルブボディ及び前記バルブステムは、前記第１及び第２のチャネルが、前記内部ハウジングキャビティに対して隔てられ、かつシールされるように、互いにシール可能に係合される請求項３に記載の低温バルブ。
【請求項１８】
前記シール部材は、ボールを含む請求項１に記載の低温バルブ。
【請求項１９】
前記バルブエレメントは、ニードルバルブを形成するためのニードルを含む請求項１に記載の低温バルブ。
【請求項２０】
前記バルブステムは、近位部及び遠位部を含み、前記近位部は、内部キャビティの少なくとも一部を形成し、かつ第４の係合周辺に沿う前記遠位部と係合するように構成され、前記バルブステムは、前記第４の係合周辺を密閉シールするように構成される溶接部を備える、請求項１に記載の低温バルブ。
【請求項２１】
低温バルブであって、
第１のポート及び第２のポートと、
前記第１のポートと流体連通する流体オリフィスを規定するバルブシートを含むバルブボディと、
前記バルブボディに係合されるように構成されるバルブステムであって、前記バルブステムは、第１の端部と、反対の第２の端部と、を含み、前記第１の端部及び第２の端部を通じて延びる長手軸を有し、前記バルブステムは、前記長手軸に実質的に沿って延びる第１のチャネルを形成し、前記第１のチャネルは、前記バルブステムを通じて流体を流すことを可能にするように構成される、バルブステムと、
シール部材と、
前記第１のチャネルの少なくとも一部内に配置されるバルブエレメントであって、前記バルブエレメントは、前記オリフィスに対して前記シール部材をバイアスし、前記オリフィス及び前記第１のポートを通じて実質的に流れを遮断するように構成される、バルブエレメントと、
ソレノイドコイルが作動又は非作動の少なくとも一方のときに、前記バルブエレメントを移動するように構成される前記ソレノイドコイルを備えるバルブアクチュエータであって、前記バイアスは、前記バルブアクチュエータにより前記バルブエレメントの位置の制御に応じて制御される、バルブアクチュエータと、
前記バルブボディ及び前記バルブステムの少なくとも係合部分を実質的に保護するように構成されるハウジングであって、前記ハウジングは、前記ハウジングと前記ソレノイドコイルとの間に内部ハウジングキャビティを形成するように構成され、前記内部ハウジングキャビティは、前記ハウジングからの、前記係合部分を含む、前記ソレノイドコイル、前記バルブボディ及び前記バルブステムの少なくとも一部を熱的に隔てるように構成される、ハウジングと、
を備える低温バルブ。
【請求項２２】
前記バルブエレメントは、前記長手軸に沿う前記第１のチャネル内の前記オリフィスに対して移動するように構成される請求項２１に記載の低温バルブ。
【請求項２３】
前記バルブエレメントは、前記バルブエレメントが前記第１のチャネル内に配置されるときに、前記長手軸にほぼ沿う前記バルブステムを通じて流体を流すことを可能にするように構成される第２のチャネルを含む請求項２１に記載の低温バルブ。
【請求項２４】
前記第１のチャネル及び前記第２のチャネルは、前記長手軸に沿って互いに実質的に位置合わせされる請求項２３に記載の低温バルブ。
【請求項２５】
前記第１のチャネル、前記第２のチャネル並びに前記第１のポート及び前記第２のポートの少なくとも一方は、前記長手軸に沿って互いに対して実質的に位置合わせされる請求項２４に記載の低温バルブ。
【請求項２６】
前記第１のチャネル、前記第２のチャネル、前記第１のポート、前記第２のポート及び前記オリフィスは、前記長手軸に沿って互いに対して実質的に位置合わせされる請求項２５に記載の低温バルブ。
【請求項２７】
前記バルブエレメント及び前記バルブステムの少なくとも一方は、前記第１及び第２のチャネルの少なくとも一方と流体連通され、かつ前記第１及び第２のチャネルの少なくとも一方から径方向外側に延びる第３のチャネルを含む請求項２３に記載の低温バルブ。
【請求項２８】
前記バルブエレメント及び前記バルブステムの他方は、前記第１及び第２のチャネルの他方と流体連通され、かつ前記第１及び第２のチャネルの他方から径方向外側に延びる第４のチャネルを含む請求項２７に記載の低温バルブ。
【請求項２９】
前記第３のチャネルは、前記長手軸にほぼ直交する請求項２７に記載の低温バルブ。
【請求項３０】
前記第２のチャネルは、前記長手軸にほぼ平行であり、かつ径方向にオフセットされる軸に沿って延びる請求項２３に記載の低温バルブ。
【請求項３１】
前記第１のチャネル及び前記第２のポートは、ほぼ真っすぐな、遮られない流路が前記第２のポート及び前記第１のチャネルを通じて延びるように、前記長手軸に沿って互いに対して実質的に位置合わせされる請求項２１に記載の低温バルブ。
【請求項３２】
前記第１のチャネル及び前記第２のチャネルは、ほぼ真っすぐな、遮られない流路が、少なくとも前記第１のチャネルの一部及び前記第２のチャネルの一部を通じて延びるように、前記長手軸に沿って互いに対して実質的に位置合わせされる請求項２３に記載の低温バルブ。
【請求項３３】
前記第１のチャネル、前記第２のチャネル及び前記第２のポートは、ほぼ真っすぐな、遮られない流路が、前記第２のポート、前記第１のチャネル及び前記第２のチャネルの少なくとも近位部を通じて延びるように、前記長手軸に沿って互いに対して実質的に位置合わせされる請求項３２に記載の低温バルブ。
【請求項３４】
前記第１のチャネルは、前記バルブステムの前記第１及び第２の端部を通じて長軸方向に延びる請求項２１に記載の低温バルブ。
【請求項３５】
前記ソレノイドコイルは、前記ソレノイドコイルが作動されるときに、前記バルブエレメントを移動するように構成される請求項２１に記載の低温バルブ。
【請求項３６】
バネを更に備え、前記バネは、前記ソレノイドコイルが非作動のときに、前記オリフィスに対して前記シール部材にバイアスするように構成され、前記ソレノイドコイルは、前記ソレノイドコイルが作動されるときに、前記オリフィスに対して、バイアスされていた前記シール部材を移動するように構成される、請求項３５に記載の低温バルブ。
【請求項３７】
前記第１のポート、前記第２のポート、前記バルブボディ及び前記バルブステムは、前記第１及び第２のチャネルが、前記内部ハウジングキャビティに対して隔てられ、かつシールされるように、互いにシール可能に係合される請求項２３に記載の低温バルブ。
【請求項３８】
前記シール部材は、ボールを含む請求項２１に記載の低温バルブ。
【請求項３９】
前記バルブエレメントは、ニードルバルブを形成するためのニードルを含む請求項２１に記載の低温バルブ。
【請求項４０】
前記シール部材は、ビッカース硬さＨＶの尺度で約ＨＶ２０００以上の実質的な硬度を有する請求項２１に記載の低温バルブ。
【請求項４１】
前記ボールは、工業用サファイアボールを含む請求項４０に記載の低温バルブ。
【請求項４２】
前記シール部材は、クロム鋼、工具鋼、ステンレススチール、サファイア、セラミック及び炭化タングステンからなる群から選択される材料を含む請求項４０に記載の低温バルブ。
【請求項４３】
前記ボールのほぼ全体は、材料の単結晶から形成される請求項４０に記載の低温バルブ。
【請求項４４】
前記バルブステムは、係合周辺に沿う前記バルブボディと係合するように構成され、
前記低温バルブは、前記バルブステムと前記バルブボディとの間の前記係合周辺に沿う溶接部を備える請求項２１に記載の低温バルブ。
【請求項４５】
前記バルブステムは、近位部及び遠位部を含み、前記近位部は、内部キャビティの少なくとも一部を形成し、かつ第２の係合周辺に沿う前記遠位部と係合するように構成され、前記バルブステムは、前記第２の係合周辺に沿う第２の溶接部を備える、請求項４４に記載の低温バルブ。
【請求項４６】
前記近位部は、磁気絶縁材料を含み、前記遠位部は、磁性材料を含む請求項４５に記載の低温バルブ。
【請求項４７】
前記ハウジングは、第２の係合周辺に沿う前記バルブボディ及び前記バルブステムの少なくとも一方と係合するように構成され、
前記第２の係合周辺に沿う第２の溶接部を更に備える請求項４４に記載の低温バルブ。
【請求項４８】
第３の係合周辺に沿う第１のハウジング部を係合し、かつ前記第１のハウジング部を通じて電気的な接続を可能にするように構成される電気コネクタと、
前記第３の係合周辺に沿う第３の溶接部と、
を更に備える請求項４７に記載の低温バルブ。
【請求項４９】
前記ハウジングは、真空被覆ラインと係合され、前記真空被覆ライン内に真空を有する共通空間を形成する請求項２１に記載の低温バルブ。
【請求項５０】
前記ソレノイドコイルと前記バルブエレメントとの間に配置される第２のチャネルを更に備える請求項２１に記載の低温バルブ。